(57)【要約】【課題】成形条件を設定する際の操作を簡素化することができ、成形条件を設定するための時間を短くすることができるようにする。【解決手段】学習モードにおいて、操作者が成形条件を設定する際の、複数の連続する設定項目から成る移行パターンを学習し、移行パターンテーブルとして記録装置に記録する学習処理手段と、条件設定モードにおいて、前記移行パターンテーブルを参照して、移行パターンにおける次の設定項目を選択し、設定画面における設定欄を入力待機状態に置く設定項目選択処理手段とを有する。前記移行パターンテーブルが参照され、移行パターンにおける次の設定項目が選択され、設定画面における設定欄が入力待機状態に置かれるので、成形条件を設定する際の操作を簡素化することができ、成形条件を設定するための時間を短くすることができる。【選択図】図１
2008114403.tif 000002
【特許請求の範囲】
【請求項１】
（ａ）学習モードにおいて、操作者が成形条件を設定する際の、複数の連続する設定項目から成る移行パターンを学習し、移行パターンテーブルとして記録装置に記録する学習処理手段と、
（ｂ）条件設定モードにおいて、前記移行パターンテーブルを参照して、移行パターンにおける次の設定項目を選択し、設定画面における設定欄を入力待機状態に置く設定項目選択処理手段とを有することを特徴とする成形条件設定装置。
【請求項２】
前記設定項目選択処理手段は、前記設定欄について強調表示を行う請求項１に記載の成形条件設定装置。
【請求項３】
前記移行パターンは、異常が発生したときに成形条件を変更する際の設定項目から成る請求項１に記載の成形条件設定装置。
【請求項４】
（ａ）学習モードにおいて、操作者が成形条件を設定する際の、複数の連続する設定項目から成る移行パターンを学習し、移行パターンテーブルとして記録装置に記録し、
（ｂ）条件設定モードにおいて、前記移行パターンテーブルを参照して、移行パターンにおける次の設定項目を選択し、設定画面における設定欄を入力待機状態に置くことを特徴とする成形条件設定方法。
【発明の詳細な説明】
【技術分野】
【０００１】
本発明は、成形条件設定装置及び成形条件設定方法に関するものである。
【背景技術】
【０００２】
従来、成形機、例えば、射出成形機においては、加熱シリンダ内において加熱され溶融させられた樹脂を、高圧で射出して金型装置のキャビティ空間に充填し、該キャビティ空間内において冷却して固化させた後、成形品として取り出すようになっている。
【０００３】
前記射出成形機は前記金型装置、型締装置、射出装置等を有し、前記型締装置は、固定プラテン及び可動プラテンを備え、型締用モータを駆動することによって可動プラテンを進退させることにより型閉じ、型締め及び型開きを行う。
【０００４】
一方、前記射出装置は、ホッパから供給された樹脂を加熱して溶融させる前記加熱シリンダ、及び溶融させられた樹脂を射出する射出ノズルを備え、前記加熱シリンダ内にスクリューが進退自在に、かつ、回転自在に配設される。そして、計量工程において計量用モータを駆動することによってスクリューを回転させると、加熱シリンダ内におけるスクリューより前方に、計量された樹脂が溜められ、射出工程において射出用モータを駆動することによってスクリューを前進させると、前方に溜められた樹脂が射出され、型締めが行われた状態の金型装置内に形成されたキャビティ空間に充填される。
【０００５】
そして、該キャビティ空間内の樹脂が冷却されて成形品になり、型開きが行われると、エジェクタ装置の突出し用モータを駆動することによってエジェクタピンを前進させると、前記成形品が突き出され、離型される。
【０００６】
ところで、前記構成の射出成形機を運転するに当たって、操作者によって各種の成形条件が設定されるようになっている。そのために、前記射出成形機には、制御部、表示部、操作部等が配設され、操作者は、操作部を操作することによって、表示部に形成された成形条件設定画面に所定の成形条件を入力するようにしている（例えば、特許文献１参照。）。
【特許文献１】特開２００１−１５０５０７号公報
【発明の開示】
【発明が解決しようとする課題】
【０００７】
しかしながら、前記従来の射出成形機においては、例えば、所定の成形条件を設定する場合、操作者は、操作部を操作し、設定しようとする設定欄にカーソルを移動させるか、タッチするかして、新しい設定値を入力する必要があるが、通常、成形条件を設定する場合、複数の設定値を変更することが多いので、前述された操作が煩わしいだけでなく、成形条件を設定するための時間が長くなってしまう。
【０００８】
本発明は、前記従来の射出成形機の問題点を解決して、成形条件を設定する際の操作を簡素化することができ、成形条件を設定するための時間を短くすることができる成形条件設定装置及び成形条件設定方法を提供することを目的とする。
【課題を解決するための手段】
【０００９】
そのために、本発明の成形条件設定装置においては、学習モードにおいて、操作者が成形条件を設定する際の、複数の連続する設定項目から成る移行パターンを学習し、移行パターンテーブルとして記録装置に記録する学習処理手段と、条件設定モードにおいて、前記移行パターンテーブルを参照して、移行パターンにおける次の設定項目を選択し、設定画面における設定欄を入力待機状態に置く設定項目選択処理手段とを有する。
【発明の効果】
【００１０】
本発明によれば、成形条件設定装置においては、学習モードにおいて、操作者が成形条件を設定する際の、複数の連続する設定項目から成る移行パターンを学習し、移行パターンテーブルとして記録装置に記録する学習処理手段と、条件設定モードにおいて、前記移行パターンテーブルを参照して、移行パターンにおける次の設定項目を選択し、設定画面における設定欄を入力待機状態に置く設定項目選択処理手段とを有する。
【００１１】
この場合、前記移行パターンテーブルが参照され、移行パターンにおける次の設定項目が選択され、設定画面における設定欄が入力待機状態に置かれるので、成形条件を設定する際の操作を簡素化することができ、成形条件を設定するための時間を短くすることができる。
【発明を実施するための最良の形態】
【００１２】
以下、本発明の実施の形態について図面を参照しながら詳細に説明する。この場合、成形機としての射出成形機について説明する。
【００１３】
図１は本発明の第１の実施の形態における射出成形機の制御装置を示すブロック図である。
【００１４】
図において、Ｍ１は射出成形機であり、該射出成形機Ｍ１は金型装置１１、図示されない型締装置、射出装置１５等を有し、前記型締装置は、固定プラテン及び可動プラテンを備える。そして、型締用の駆動部としての型締用モータｍａを駆動すると、可動プラテンが進退させられ、金型装置１１の型閉じ、型締め及び型開きが行われる。
【００１５】
一方、前記射出装置１５は、ホッパ１６から供給された成形材料としての図示されない樹脂を加熱して溶融させるシリンダ部材としての加熱シリンダ１８、及び溶融させられた樹脂を射出する射出ノズル１９を備え、前記加熱シリンダ１８内に射出部材としての図示されないスクリューが進退自在に、かつ、回転自在に配設される。なお、前記加熱シリンダ１８には、ホッパ１６から落下する樹脂を加熱シリンダ１８内に供給するために材料供給口としての図示されない樹脂供給口が形成される。
【００１６】
前記加熱シリンダ１８において樹脂を溶融させるために、加熱シリンダ１８の周囲に加熱部材としての、かつ、被制御部材としてのヒータ５１が、加熱シリンダ１８の軸方向に沿って、かつ、加熱シリンダ１８の軸方向において領域を表すために設定された複数のゾーンに対応させて複数配設され（図においては１個だけが示される。）、該各ヒータ５１が通電されることによって発生した熱が加熱シリンダ１８に伝達されるようになっている。
【００１７】
そのために、各ヒータ５１は、例えば、シーズヒータから成り、ヒータ５１と図示されない電源とがスイッチング要素としてのスイッチを介して接続され、該スイッチを断続することによって、各ヒータ５１をオン・オフさせることができるようになっている。
【００１８】
そして、計量用の駆動部としての計量用モータｍｂを駆動することによって前記スクリューを回転させると、加熱シリンダ１８内におけるスクリューより前方に、溶融させられた樹脂が所定の量溜められ、射出用の駆動部としての射出用モータｍｃを駆動することによってスクリューを前進させると、前方に溜められた樹脂が射出され、型締めが行われた状態の金型装置１１内に形成されたキャビティ空間に充填される。
【００１９】
また、該キャビティ空間内の樹脂が冷却されて成形品になり、型開きが行われると、突出し用の駆動部としての図示されない突出し用モータが駆動され、図示されないエジェクタ装置のエジェクタピンが前進させられ、前記成形品が突き出され、離型される。
【００２０】
そして、Ｆ１は制御部であり、該制御部Ｆ１は、演算装置としてのＣＰＵ３１、該ＣＰＵ３１が各種の演算処理を行うに当たってワーキングメモリとして使用されるＲＡＭ３２、制御用のプログラムのほか、各種のデータが記録されたＲＯＭ３３等を備え、操作パネル、キーボード等から成る操作部３５、ＣＲＴ、液晶画面等から成る表示部３６、前記型締用モータｍａ、計量用モータｍｂ、射出用モータｍｃ等を駆動するためのドライバ３８、撮像装置としてのカメラ３９、射出成形機Ｍ１の各箇所に配設された情報検出部としてのセンサ類、すなわち、各センサＳｊ（ｊ＝１、２、…、ｋ）等に接続される。前記カメラ３９は、射出成形機の各箇所、例えば、各ヒータ５１の周辺、前記樹脂供給口等、又は金型装置１１における図示されない取出機と対向する取出部分に向けて一つずつ配設され、各箇所を撮影し、撮影した画像のデータを制御部Ｆ１に送る。
【００２１】
なお、前記ＣＰＵ３１は各種のプログラム、データ等に基づいてコンピュータとして機能し、前記ＲＡＭ３２、ＲＯＭ３３等によって記録装置が構成される。また、演算装置として、ＣＰＵ３１に代えてＭＰＵ等を使用することもできる。そして、前記表示部３６としてタッチパネル式のものを使用した場合、表示部３６は操作部を兼ねる。
【００２２】
前記制御部Ｆ１において、ＣＰＵ３１の図示されない成形機情報取得処理手段（成形機情報取得処理部）は、成形機情報取得処理を行い、射出成形機Ｍ１を運転するのに伴い、射出成形機Ｍ１の各種の成形条件を表す設定値、運転状態を表す実績値等の成形機情報を取得する。
【００２３】
そのために、成形機情報取得処理手段は、各センサＳｊからのセンサ出力を読み込み、各センサＳｊによって検出された温度、圧力、速度、時間、位置等の実績値を成形機情報として取得する。例えば、温度に関しては、加熱シリンダ１８の温度（加熱シリンダ温度）、金型装置１１の温度（金型温度）、樹脂の温度（樹脂温度）等が、圧力に関しては、射出時にスクリューによって発生させられる圧力（射出圧力）、型締め時に型締装置によって発生させられる力（型締力）、計量工程時にスクリューに加わる圧力（スクリュー背圧）、樹脂の圧力（樹脂圧）、保圧工程における樹脂の圧力（保圧力）等が、速度に関しては、スクリューの速度（スクリュー速度）、可動プラテンの速度（型開閉速度）、スクリューの回転速度（スクリュー回転速度）等が、時間に関しては、射出が行われる時間（充填時間）、保圧が行われる時間（保圧時間）、冷却が行われる時間（冷却時間）、計量が行われる時間（計量時間）、成形サイクルの周期を表す時間（成形サイクル時間）等が、位置に関しては、スクリューの位置（スクリュー位置）、保圧が終了する際のスクリューの位置（終了位置）、計量が終了する際のスクリューの位置（計量完了位置）、速度制御と圧力制御との切換えが行われる位置（Ｖ−Ｐ切換位置）、型開閉が行われる際の可動プラテンの位置（型開閉位置）等がそれぞれ取得される。
【００２４】
そして、前記ＣＰＵ３１は、取得された成形機情報を読み込み、該成形機情報に基づいて、各種の図示されないアクチュエータを作動させ、射出成形機の各箇所の制御を行う。
【００２５】
例えば、前記ＣＰＵ３１の変量制御処理手段としての図示されない温度制御処理手段（温度制御処理部）は、変量制御処理としての温度制御処理を行い、変量としての加熱シリンダ１８内の樹脂の温度を制御する。
【００２６】
そのために、前記ヒータ５１に隣接させてセンサＳ１が配設される。該センサＳ１は、熱電対によって構成されて変量検出部としての温度検出部を構成し、加熱シリンダ１８の温度を検出することによって樹脂の温度を検出し、センサ出力を制御部Ｆ１に送る。なお、前記センサＳ１は各ヒータ５１ごとに配設される（図においては１個だけが示される。）。
【００２７】
そして、前記温度制御処理手段は、前記各センサ出力を読み込み、各センサＳ１によって検出された温度、すなわち、検出温度と設定値とを比較し、比較結果に基づいてフィードバック制御を行い、各ヒータ５１の通電を制御し、ヒータ５１をオン・オフさせて樹脂の温度を制御する。
【００２８】
ところで、前記射出成形機を運転するに当たり、成形条件を設定（変更する場合も含む。）することができるようになっていて、ＣＰＵ３１の図示されない成形条件設定処理手段（成形条件設定処理部）は、成形条件設定処理を行い、表示部３６に、第１の設定画面としての、かつ、成形条件設定画面としての図示されない一覧設定画面を形成する。該一覧設定画面は、成形サイクルの全体にわたって各成形条件を設定するためのものであり、操作者が、一覧設定画面を見ながら、操作部３５を操作して、各成形条件を入力すると、前記成形条件設定処理手段は、前記成形条件を設定する。
【００２９】
そして、成形条件の学習モードが設定されると、ＣＰＵ３１の図示されない設定操作記録処理手段（設定操作記録処理部）は、設定操作記録処理を行い、操作者が成形条件を設定するに当たり行った操作部３５の操作を逐次ＲＡＭ３２に記録する。続いて、ＣＰＵ３１の図示されない学習処理手段（学習処理部）は、学習処理を行い、ある設定項目から次の所定の設定項目に移行する頻度が高い設定項目の組合せのパターンを単位移行パターンとして抽出し、該単位移行パターンに基づいて、成形条件の設定が開始されてから終了するまでの複数の連続する設定項目から成る移行パターンを学習する。なお、学習モードにおける成形条件の設定は、所定の期間にわたり、熟練した操作者によって行われる。
【００３０】
図２は本発明の第１の実施の形態における設定項目の移行パターンの例を示す図、図３は本発明の第１の実施の形態における可塑化設定画面の第１の表示例を示す図、図４は本発明の第１の実施の形態における可塑化設定画面の第２の表示例を示す図である。
【００３１】
図２において、Ｔ１はシリンダ温度の設定であり、操作者が、加熱シリンダ１８の各ゾーンの温度を入力すると、前記成形条件設定処理手段のシリンダ温度設定処理手段（シリンダ温度設定処理部）は、シリンダ温度設定処理を行い、シリンダ温度を設定する。
【００３２】
また、Ｔ２は計量完了位置（ショットボリュウム）の設定であり、操作者が、計量完了位置を入力すると、前記成形条件設定処理手段の可塑化設定処理手段（可塑化設定処理部）は、可塑化設定処理を行い、計量完了位置を設定する。そして、Ｔ３は背圧及び回転速度の設定であり、操作者が、計量時のスクリューの背圧及びスクリューの回転速度を入力すると、前記可塑化設定処理手段は、背圧及び回転速度を交互に設定する。
【００３３】
そして、Ｔ４は充填圧力制限値の設定であり、操作者が、射出時の充填圧力の制限値を入力すると、前記成形条件設定処理手段の射出設定処理手段（射出設定処理部）は、射出設定処理を行い、充填圧力制限値を設定する。
【００３４】
また、Ｔ５は充填完了制限時間の設定であり、操作者が、射出時の充填時間の制限値を入力すると、前記射出設定処理手段は、充填時間制限値を設定する。
そして、Ｔ６は充填圧力の設定であり、操作者が、射出時の充填圧力を入力すると、前記射出設定処理手段は、充填圧力を設定する。
【００３５】
また、Ｔ７は充填速度の設定であり、操作者が、射出時のスクリューの速度を入力すると、前記射出設定処理手段は、充填速度を設定する。
【００３６】
そして、Ｔ８は保圧の設定であり、操作者が、保圧時の圧力を入力すると、前記射出設定処理手段は、保圧を設定する。
【００３７】
そして、前記移行パターンにおいては、設定項目が、シリンダ温度の設定Ｔ１、計量完了位置の設定Ｔ２、背圧及び回転速度の設定Ｔ３、充填圧力制限値の設定Ｔ４、充填完了制限時間の設定Ｔ５、充填圧力の設定Ｔ６、充填速度の設定Ｔ７、保圧の設定Ｔ８の順に並べられ、ＲＡＭ３２に移行パターンテーブルとして記録される。
【００３８】
このようにして、学習モードにおいて、複数の設定項目から成る移行パターンが形成され、該移行パターンがＲＡＭ３２に記憶される。なお、前記移行パターンにおいて各設定項目の順は、適宜変更することができる。
【００３９】
続いて、学習された移行パターンに基づいて成形条件の設定を行う条件設定モードにおいて、前記成形条件設定処理手段は、操作者の操作に基づいて、各設定項目について成形条件を設定する。
【００４０】
すなわち、操作者が、前記各設定項目のうちの所定の設定項目について、本実施の形態においては、シリンダ温度の設定Ｔ１について成形条件を入力すると、前記シリンダ温度設定処理手段は、シリンダ温度を設定する。
【００４１】
このとき、ＣＰＵ３１の図示されない設定項目選択処理手段は、設定項目選択処理を行い、前記移行パターンテーブルを参照して、前記移行パターンにおける次の設定項目である計量完了位置の設定Ｔ２を選択し、表示部３６に、図３に示される第２の設定画面としての可塑化設定画面ｄ１を形成し、該可塑化設定画面ｄ１における計量完了位置の設定欄ｍ１にカーソルを移動させ、設定欄ｍ１を入力待機状態に置く。
【００４２】
この状態で、操作者が、カーソルを移動させることなく、操作部３５を操作し、計量完了位置を入力すると、可塑化設定処理手段は、計量完了位置を設定する。
【００４３】
このとき、前記設定項目選択処理手段は、前記移行パターンテーブルを参照して、前記移行パターンにおける次の設定項目である背圧及び回転速度の設定Ｔ３を選択し、前記可塑化設定画面ｄ１において、図４に示されるように、背圧の設定欄ｍ２にカーソルを移動させ、設定欄ｍ２を入力待機状態に置く。この状態で、操作者が、カーソルを移動させることなく、操作部３５を操作し、背圧を入力すると、可塑化設定処理手段は、背圧を設定する。
【００４４】
このとき、前記設定項目選択処理手段は、前記可塑化設定画面ｄ１において、回転速度の設定欄ｍ３にカーソルを移動させ、設定欄ｍ３を入力待機状態に置く。この状態で、操作者が、カーソルを移動させることなく、操作部３５を操作し、回転速度を入力すると、可塑化設定処理手段は、回転速度を設定する。
【００４５】
このように、背圧及び回転速度が交互に設定されると、前記設定項目選択処理手段は、前記移行パターンテーブルを参照して、前記移行パターンにおける次の設定項目である充填圧力制限値の設定Ｔ４を選択し、前記可塑化設定画面ｄ１において、充填圧力制限値の設定欄にカーソルを移動させ、前記設定欄を入力待機状態に置く。
【００４６】
このように、本実施の形態においては、各設定項目ごとに成形条件の設定が行われると、次の設定項目の設定が自動的に選択され、設定欄にカーソルが自動的に移動させられるので、成形条件を設定する際の操作を簡素化することができ、成形条件を設定するための時間を短くすることができる。
【００４７】
さらに、成形条件についての操作者の知識が不十分であり、成形条件の設定方法、手順等が分からない場合でも、所定の設定が終わるたびに次の設定項目に自動的にカーソルが移動するので、容易に成形条件を設定することができる。
【００４８】
ところで、前記射出成形機Ｍ１を運転しているときに、各箇所で異常が発生することがある。そこで、本実施の形態においては、異常が発生したときに、異常の内容、異常が発生した箇所、異常の発生の状況等を操作者に通知することができるようになっている。
【００４９】
そのために、ＣＰＵ３１の図示されない異常判定処理手段（異常判定処理部）は、異常判定処理を行い、前記各成形機情報のうちの所定の成形機情報を読み込み、該成形機情報に基づいて異常が発生したかどうかを判断する。
【００５０】
例えば、前述されたように、加熱シリンダ１８内の樹脂の温度を制御しているときに、樹脂の温度が過剰に高くならないように、限界値としての上限値が設定されていて、前記異常判定処理手段は、前記各検出温度を成形機情報として読み込み、各検出温度が上限値を超えたかどうかを判断し、各検出温度のうちの少なくとも一つが上限値を超えた場合、加熱シリンダ１８において異常が発生したと判断する。
【００５１】
また、前記異常判定処理手段は、前記各成形機情報の種類に基づいて、発生した異常の種類を判断する。
【００５２】
このように、異常が発生したと判断されると、ＣＰＵ３１の図示されない通知処理手段（通知処理部）としての表示処理手段（表示処理部）は、通知処理としての表示処理を行い、操作者に異常の発生を通知する。これに対して、操作者は、温度設定及び実績値に基づいて温度設定を評価し、必要に応じて温度設定を変更し、修正する。
【００５３】
ところで、本実施の形態においては、異常が発生したときに、操作者が行うベき操作があらかじめ設定項目として設定され、異常が発生してから、必要な措置が採られるまでの各設定項目の連続する移行パターンが学習され、ＲＡＭ３２に記録されるようになっている。
【００５４】
そのために、移行パターンを学習するための学習モードが設定されると、前記設定操作記録処理手段は、異常が発生したときに、操作者が行った操作部３５の操作を逐次ＲＡＭ３２に記録する。続いて、前記学習処理手段は、ある設定項目から次の設定項目に移行する頻度が高い設定項目の組合せのパターンを単位移行パターンとして抽出し、該単位移行パターンに基づいて、異常が発生してから、必要な措置が採られるまでの複数の連続する設定項目から成る移行パターンを学習し、ＲＡＭ３２に移行パターンテーブルとして記録する。なお、学習モードにおける操作部３５の操作は、所定の期間にわたり、熟練した操作者によって行われる。
【００５５】
このようにして、学習モードにおいて、複数の設定項目の連続する移行パターンが学習される。なお、前記移行パターンにおいて各設定項目の順は、適宜変更することができる。
【００５６】
続いて、異常が発生した場合に、学習された移行パターンに基づいて成形条件を設定する条件設定モードにおいて、前記成形条件設定処理手段は、操作者の操作に伴って、各設定項目について成形条件を変更して設定する。
【００５７】
図５は本発明の第１の実施の形態における表示処理の流れを示す図、図６は本発明の第１の第１の実施の形態における表示処理手段による第１の表示例を示す図、図７は本発明の第１の実施の形態における表示処理手段による第２の表示例を示す図である。
【００５８】
まず、成形条件が設定されると、射出成形機の半自動運転が行われ、続いて、自動運転が開始されるが、前記成形条件設定処理手段は、表示部３６に一覧設定画面を形成した状態を維持する。
【００５９】
そして、異常が発生すると、前記表示処理手段の種類表示処理手段（種類表示処理部）は、種類表示処理を行い、前記一覧設定画面に重ねてポップアップで図示されない表示領域を形成し、該表示領域に、例えば、「ヒータ温度異常」のように異常の種類を表示する。
【００６０】
これに対して、操作者が、操作部３５を操作して、図示されない解除ボタンを押下するか、又は異常の種類が表示されてから設定された時間が経過すると、前記表示処理手段の成形条件・実績値表示処理手段（成形条件・実績値表示処理部）は、成形条件・実績値表示処理を行い、表示部３６に、図６に示されるように、異常の種類に対応させて、第３の設定画面としての、かつ、成形条件・実績値表示画面としての温度設定画面ｄ２を形成し、該温度設定画面ｄ２に、異常の種類に対応する成形条件である実績値及び温度設定（主設定）を表示する。
【００６１】
なお、前記種類表示処理手段は、温度設定画面ｄ２の周縁の所定の箇所に表示領域ＡＲ１を形成し、該表示領域ＡＲ１に異常の種類（「ヒータ温度異常」）を表示する。
【００６２】
続いて、前記設定項目選択処理手段は、前記温度設定画面ｄ２において、異常が発生した箇所の実績値、温度設定等の設定欄への入力を促すために、設定欄について、例えば、点滅等によって強調表示を行う。
【００６３】
この場合、前記設定項目選択処理手段は、前記移行パターンテーブルを参照して、図６に示されるように、ゾーン（ＺＯＮＥ）１の温度設定において、上限値を表す主設定の設定欄ｍ４にカーソルを移動させ、該設定欄ｍ４を、入力待機状態に置くとともに、点滅させて強調表示を行う。なお、表示の色を変えることによって強調表示を行うことができる。
【００６４】
この状態で、操作者が、カーソルを移動させることなく、操作部３５を操作し、設定温度を入力すると、前記シリンダ温度設定処理手段は、設定温度を設定する。
【００６５】
このとき、前記設定項目選択処理手段は、前記移行パターンテーブルを参照して、図７に示されるように、ゾーン１の温度設定における上限値のマージンを表す監視範囲の設定欄ｍ５にカーソルを移動させ、該設定欄ｍ５を、入力待機状態に置く。
【００６６】
この状態で、操作者が、カーソルを移動させることなく、操作部３５を操作し、監視範囲を入力すると、前記シリンダ温度設定処理手段は、監視範囲を設定する。
【００６７】
そして、前記表示処理手段の画像表示処理手段（画像表示処理部）は、画像表示処理を行い、異常が発生した箇所を画像で表すために、前記温度設定画面ｄ２の周縁の所定の箇所にポップアップで図示されない表示領域を形成し、該表示領域に、異常の種類に対応させて、異常が発生した箇所、この場合、ゾーン１におけるカメラ３９によって撮影された画像を表示する。
【００６８】
したがって、操作者は、ゾーン１の画像を参照して、センサＳ１の断線を確認したり、ヒータ５１の断線を確認したりして、確認結果に基づいて、必要な措置を採ることができる。
【００６９】
このように、本実施の形態においては、異常が発生すると、異常の種類に対応する成形条件である実績値及び温度設定が表示されるとともに、温度設定の設定欄にカーソルが自動的に移動させられるので、操作者は、必要な措置、例えば、温度設定の修正を行うことができる。
【００７０】
また、異常が発生したときに必要となる処理について操作者の知識が不十分であり、対処方法が分からない場合でも、所定の設定が終わるたびに次の設定項目に自動的にカーソルが移動するので、容易に対処することができる。
【００７１】
したがって、成形条件を設定する際の操作を簡素化することができ、成形条件を設定するための時間を短くすることができる。
ところで、本実施の形態においては、異常が発生すると、異常が発生した箇所の設定欄への入力を促すために、設定欄について強調表示が行われ、続いて、操作者が操作部３５を操作することによって監視範囲を入力すると、異常が発生した箇所におけるカメラ３９によって撮影された画像が表示領域に表示されるようになっている。そこで、異常が発生した箇所におけるカメラ３９によって撮影された画像が表示されるとともに、設定欄について強調表示を行うようにした本発明の第２の実施の形態について説明する。なお、第１の実施の形態と同じ構造を有するものについては、同じ符号を付与し、同じ構造を有することによる発明の効果については同実施の形態の効果を援用する。
【００７２】
図８は本発明の第２の実施の形態における表示処理手段の表示例を示す図である。
【００７３】
この場合、ＣＰＵ３１の前記異常判定処理手段は、カメラ３９（図１）によって撮影された画像の画像データを読み込み、所定の方法、例えば、あらかじめ記録された正常時の画像データと、読み込んだ画像データとを比較することによって、異常が発生したかどうかを判断する。
【００７４】
そして、前記異常判定処理手段によって、異常が発生したと判断されると、前記表示処理手段の前記種類表示処理手段は、所定の設定画面、本実施の形態においては、前記第２の設定画面としての可塑化設定画面ｄ３の周縁における所定の箇所にポップアップで表示領域ＡＲ２を形成し、該表示領域ＡＲ２に異常の種類（「バリ」）を表示する。
【００７５】
また、前記画像表示処理手段は、異常が発生した箇所を画像で表すために、前記可塑化設定画面ｄ３の周縁の所定の箇所にポップアップで表示領域ＡＲ３を形成し、該表示領域ＡＲ３に、異常の種類に対応させて、異常が発生した箇所、この場合、取出機による取出部分におけるカメラ３９によって撮影された画像を表示する。
【００７６】
ここで、例えば、図８に示されるように、成形品ＭＤ１にバリｑ１が発生した場合、画像表示処理手段は、表示領域ＡＲ３に成形品ＭＤ１を表示する。
【００７７】
続いて、ＣＰＵ３１の前記設定項目選択処理手段は、前記可塑化設定画面ｄ３において、異常が発生した箇所に対応させて形成された異常を解消するための設定欄、本実施の形態においては、保圧の１段目の圧力の設定欄ｍ６にカーソルを移動させ、設定欄ｍ６を入力待機状態に置くとともに、点滅させて強調表示を行う。
【００７８】
この状態で、操作者が、操作部３５を操作し、保圧の１段目の圧力の設定値を入力すると、ＣＰＵ３１の図示されない保圧圧力設定処理手段は、保圧圧力設定処理を行い、保圧の１段目の圧力を設定する。
【００７９】
このとき、前記設定項目選択処理手段は、前記移行パターンテーブルを参照して、次の設定欄にカーソルを移動させ、前記設定欄を入力待機状態に置く。
【００８０】
次に、異常に対処するための異常処理を選択することができるようにした本発明の第３の実施の形態について説明する。なお、第１の実施の形態と同じ構造を有するものについては、同じ符号を付与し、同じ構造を有することによる発明の効果については同実施の形態の効果を援用する。
【００８１】
図９は本発明の第３の実施の形態における表示処理手段の表示例を示す図である。
【００８２】
この場合、ＣＰＵ３１の前記異常判定処理手段は、カメラ３９（図１）によって撮影された画像の画像データを読み込み、所定の方法、例えば、あらかじめ記録された正常時の画像データと、読み込んだ画像データとを比較することによって、異常が発生したかどうかを判断する。
【００８３】
そして、前記異常判定処理手段によって、異常が発生したと判断されると、前記表示処理手段の前記種類表示処理手段は、所定の設定画面、本実施の形態においては、前記第２の設定画面としての可塑化設定画面ｄ３の周縁の所定の箇所にポップアップで表示領域ＡＲ４を形成し、該表示領域ＡＲ４に、異常処理の項目を、異常の種類（「バリ」及び「ヒケ」）によって表示する。
【００８４】
また、前記画像表示処理手段は、異常が発生した箇所を画像で表すために、前記可塑化設定画面ｄ３における周縁の所定の箇所にポップアップで表示領域ＡＲ３を形成し、該表示領域ＡＲ３に、異常の種類に対応させて、異常が発生した箇所、この場合、取出機による取出部分におけるカメラ３９によって撮影された画像を表示する。
【００８５】
ここで、例えば、図９に示されるように、成形品ＭＤ１にバリｑ１が発生した場合、画像表示処理手段は、表示領域ＡＲ３に成形品ＭＤ１を表示する。
【００８６】
続いて、操作者が、前記表示領域ＡＲ３を見て異常の種類を確認し、操作部３５を操作して、所定の異常処理の項目、本実施の形態においては、「バリ」の異常処理を選択すると、ＣＰＵ３１の前記設定項目選択処理手段は、前記可塑化設定画面ｄ３において、選択された項目に対応させて形成された異常を解消するための設定欄、本実施の形態においては、保圧の１段目の圧力の設定欄ｍ７にカーソルを移動させ、前記設定欄ｍ７を入力待機状態に置くとともに、点滅させて強調表示を行う。
【００８７】
この状態で、操作者が、操作部３５を操作し、保圧の１段目の圧力の設定値を入力すると、ＣＰＵ３１の図示されない保圧圧力設定処理手段は、保圧圧力設定処理を行い、保圧の１段目の圧力を設定する。
【００８８】
このとき、前記設定項目選択処理手段は、前記移行パターンテーブルを参照して、次の設定欄にカーソルを移動させ、前記設定欄を入力待機状態に置く。
【００８９】
なお、本発明は前記各実施の形態に限定されるものではなく、本発明の趣旨に基づいて種々変形させることが可能であり、それらを本発明の範囲から排除するものではない。
【図面の簡単な説明】
【００９０】
【図１】本発明の第１の実施の形態における射出成形機の制御装置を示すブロック図である。
【図２】本発明の第１の実施の形態における設定項目の移行パターンの例を示す図である。
【図３】本発明の第１の実施の形態における可塑化設定画面の第１の表示例を示す図である。
【図４】本発明の第１の実施の形態における可塑化設定画面の第２の表示例を示す図である。
【図５】本発明の第１の実施の形態における表示処理の流れを示す図である。
【図６】本発明の第１の実施の形態における表示処理手段による第１の表示例を示す図である。
【図７】本発明の第１の実施の形態における表示処理手段による第２の表示例を示す図である。
【図８】本発明の第２の実施の形態における表示処理手段の表示例を示す図である。
【図９】本発明の第３の実施の形態における表示処理手段の表示例を示す図である。
【符号の説明】
【００９１】
３２    ＲＡＭ
３３    ＲＯＭ
ｄ１    可塑化設定画面
ｄ２    温度設定画面
ｍ１〜ｍ５    設定欄
【図１】
2008114403.tif 000003
【図２】
2008114403.tif 000004
【図３】
2008114403.tif 000005
【図４】
2008114403.tif 000006
【図５】
2008114403.tif 000007
【図６】
2008114403.tif 000008
【図７】
2008114403.tif 000009
【図８】
2008114403.tif 000010
【図９】
2008114403.tif 000011